(57)【要約】      （修正有）【課題】角度を調整しやすい足部ストレッチング機器を提供する。【解決手段】台座１、ハウジング２、駆動モータ３、連動歯車対４、持ち上げ板５及びマイクロスイッチ６を備え、ハウジングは台座に枢着され、連動歯車対は駆動モータと噛み合い、持ち上げ板は連動歯車対と噛み合う持ち上げ歯車５１を有し、持ち上げ板の頂端はハウジングに接続され、持ち上げ歯車の前端及び後端に上下２つのマイクロスイッチ６がそれぞれ設置される。駆動モータは動作して連動歯車対を駆動して回転させ、連動歯車対は更にそれと噛み合う持ち上げ歯車を駆動して上下に揺動させることに対応して、持ち上げ板に固定されるハウジングを上下に揺動させる。持ち上げ歯車は最大又は最小極限まで揺動すると、マイクロスイッチの接点に触れて、揺動し続けることを停止する。これにより、持ち上げハウジングの上反り及び回復動作を能動的に遂行し、使用者の個人特徴に基づいて角度、速度の自動無段調整を行うことができる。【選択図】図３
0003233139.tif 000002
【実用新案登録請求の範囲】
【請求項１】
足部ストレッチング機器であって、
台座、ハウジング、駆動モータ、連動歯車対、持ち上げ板及びマイクロスイッチを備え、前記ハウジングは台座に枢着され、駆動モータ、連動歯車対、持ち上げ板及びマイクロスイッチは台座とハウジングとの間に設置され、駆動モータは台座に固定され、連動歯車対は駆動モータの出力軸と噛み合い、持ち上げ板の前端又は後端は連動歯車対と噛み合う持ち上げ歯車を有し、持ち上げ板の後端又は前端は台座に枢着され、持ち上げ板の頂端はハウジングの内頂部に接続され、ハウジングの頂面に足踏み領域が設けられ、持ち上げ歯車の前端及び後端に１つのマイクロスイッチがそれぞれ設置され、２つのマイクロスイッチのうちの一方は上側に位置し、他方は下側に位置し、持ち上げ歯車の上極限及び下極限に対応することを特徴とする足部ストレッチング機器。
【請求項２】
前記台座に支持座が設けられ、支持座の後端両側には持ち上げ板が上下に揺動するための取付溝が設けられ、前記持ち上げ板は２枚あり、２枚の持ち上げ板の後端は回転軸によって台座の取付溝に回転可能に固定され、持ち上げ板の前端に前記持ち上げ歯車が設けられることを特徴とする請求項１に記載の足部ストレッチング機器。
【請求項３】
前記支持座には駆動モータを取り付けるためのモータ溝が設けられ、台座における持ち上げ板の持ち上げ歯車の前端に駆動支持座が設けられ、前記連動歯車対は駆動支持座に設置されることを特徴とする請求項２に記載の足部ストレッチング機器。
【請求項４】
前記ハウジングは上部持ち上げハウジング及び下部持ち上げハウジングを含み、上部持ち上げハウジングと下部持ち上げハウジングは取り外し可能に結合され、上部持ち上げハウジングと下部持ち上げハウジングは組み立てられた後に底面が開口された活動空間を形成し、上部持ち上げハウジングの頂面に左右２つのフロアマットが設けられ、フロアマットは上部持ち上げハウジングの頂面に嵌設され、上部持ち上げハウジングの後端には上向きに突起して踵を当てるための遮蔽板が設けられることを特徴とする請求項１又は２に記載の足部ストレッチング機器。
【請求項５】
左右２つのフロアマットと上部持ち上げハウジングとの間に加熱シートが更にそれぞれ設けられることを特徴とする請求項４に記載の足部ストレッチング機器。
【請求項６】
前記上部持ち上げハウジングにランプパネルが嵌設され、ランプパネルに固定マッサージカバーが設けられ、固定マッサージカバーはランプパネルを覆っており、固定マッサージカバーの頂面に複数の凸粒が分布していることを特徴とする請求項５に記載の足部ストレッチング機器。
【請求項７】
前記台座とハウジングとの間に台座カバー体が更に設けられ、台座カバー体には上下に貫通するスナップリングが設けられ、スナップリングの外径は持ち上げハウジングの内径より小さく、ハウジングをスナップリングの外部で上下に揺動させることを特徴とする請求項１に記載の足部ストレッチング機器。
【請求項８】
前記スナップリングの前端は後端より高く、スナップリングの後端に遮蔽部材が更に設置されることを特徴とする請求項７に記載の足部ストレッチング機器。
【請求項９】
前記連動歯車対は、駆動軸と、駆動軸に固定されて駆動モータと噛み合う連動歯車と、駆動軸の両側に設置されて２枚の持ち上げ板の持ち上げ歯車と噛み合う連動歯車と、駆動軸を台座に固定する固定ブロックと、を備えることを特徴とする請求項１に記載の足部ストレッチング機器。
【請求項１０】
２枚の持ち上げ板の中央に近い位置に支持軸が設けられ、支持軸は２枚の持ち上げ板に接続されることを特徴とする請求項２に記載の足部ストレッチング機器。
【考案の詳細な説明】
【技術分野】
【０００１】
本考案はマッサージ器の技術分野に関し、特に足部ストレッチング機器に関する。
【背景技術】
【０００２】
現代人は生活が忙しく、常に運動不足であるため、長期間的には多くの文明病、例えば筋肉痛又は不十分な血液循環等の現象が発生することとなり、医学によれば、ヨガ又はストレッチング等の比較的穏やかな方式で、体の四肢及び筋肉を和らげてストレスを解消する効果を効果的に得ることができることが証明されているが、一般的に自主的にできるストレッチング動作効果は限られ、通常は機器又は他の人の補助に依存せずにストレッチングの効果を得ることができず、よく見られるストレッチング機器は下腿の後方筋を広げることのできる足部ストレッチング器がある。
【０００３】
図１及び図２に示すように、従来の足部ストレッチング器は台座５０、足踏み板６０及び当接棒７０を備え、該台座５０の上半部は凹溝形状を呈し、該足踏み板６０は該台座５０の上側を覆うことのできる板体であり、且つ該足踏み板６０の底部に複数の枠状の遮蔽体６１が凸設され、当接棒７０はＵ字型を呈し、該当接棒７０の両端はそれぞれ該台座５０に回転可能に設置され、該足踏み板６０を支持して傾斜状を呈させるように該当接棒７０の中央に適切な遮蔽体６１を置くことができる。上記従来の調整可能な足部ストレッチング器の使用状態は図２に示され、該足踏み板６０は傾斜状を呈するため、使用者の足の裏８０が該足踏み板６０に踏み入れる際に下腿後方の筋を引っ張ることができ、該足踏み板６０の傾斜角度を調整するために、使用者は自分の必要に応じて該当接棒７０を異なる遮蔽体６１に当接させることもできる。
【０００４】
ところが、従来の調整可能な足部ストレッチング器は使用の面では以下の欠点がある。
【０００５】
第１としては、該当接棒７０は異なる遮蔽体６１に当接されなければ傾斜角度を変化させることができないが、遮蔽体６１は一定の体積を有しなければ該当接棒７０を安定して当接することができない。このため、各角度の差がより大きい場合が多く、微調整を行うことができない。
【０００６】
第２としては、該足踏み板６０の角度を調整するとき、該足踏み板６０を支え、更に該当接棒７０を特定の遮蔽体６１内に置く必要がある。このため、調整過程が比較的不便である。
【０００７】
第３としては、台座５０と足踏み板６０との間はオープン型構造であり、当接棒７０及び複数の枠状の遮蔽体６１は直接台座５０と足踏み板６０との間に露出し、使用過程において、手又は足を誤って台座５０内に突っ込んでしまうと、挟まれやすく、潜在的な安全上の問題があるとともに、外観形状に影響し、ユーザーエクスペリエンスに影響してしまう。
【考案の概要】
【考案が解決しようとする課題】
【０００８】
本考案の目的は従来技術の欠点を克服し、角度を調整しやすい足部ストレッチング機器を提供することにある。
【課題を解決するための手段】
【０００９】
上記目的を実現するために、本考案の解決案は以下のとおりである。
【００１０】
足部ストレッチング機器であって、台座、ハウジング、駆動モータ、連動歯車対、持ち上げ板及びマイクロスイッチを備え、前記ハウジングは台座に枢着され、駆動モータ、連動歯車対、持ち上げ板及びマイクロスイッチは台座とハウジングとの間に設置され、駆動モータは台座に固定され、連動歯車対は駆動モータの出力軸と噛み合い、持ち上げ板の前端又は後端は連動歯車対と噛み合う持ち上げ歯車を有し、持ち上げ板の後端又は前端は台座に枢着され、持ち上げ板の頂端はハウジングの内頂部に接続され、ハウジングの頂面に足踏み領域が設けられ、持ち上げ歯車の前端及び後端に１つのマイクロスイッチがそれぞれ設置され、２つのマイクロスイッチのうちの一方は上側に位置し、他方は下側に位置し、持ち上げ歯車の上極限及び下極限に対応する。
【００１１】
上記解決案を用いることで、本考案に係る足部ストレッチング機器は、駆動モータが動作することにより、該駆動モータの出力軸と噛み合う連動歯車対を駆動して回転させ、連動歯車対は更にそれと噛み合う持ち上げ歯車を駆動して上下に揺動させることに対応して、持ち上げ板に固定されるハウジングを上下に揺動させる。持ち上げ歯車は最大極限まで揺動すると、マイクロスイッチの接点に触れて、揺動し続けることを停止することとなり、持ち上げ歯車は最小極限まで揺動すると、マイクロスイッチの接点に触れて、揺動を停止することとなる。本考案は、モータにより駆動され、マイクロスイッチと組み合わせて使用者に持ち上げハウジングの上反り及び回復動作を能動的に遂行させることができ、使用者は自分の体の特徴に基づいて持ち上げ及び回復の角度及び速度を自動的に無段調整することができ、昇降機構は左右の持ち上げ歯車の同時突き出し方式を用いて、ハウジングを持ち上げる際に左右に揺動するという欠点を回避し、使用上の安全性を向上させる。
【００１２】
更に、前記台座に支持座が設けられ、支持座の後端両側には持ち上げ板が上下に揺動するための取付溝が設けられ、前記持ち上げ板は２枚あり、２枚の持ち上げ板の後端は回転軸によって台座の取付溝に回転可能に固定され、持ち上げ板の前端に前記持ち上げ歯車が設けられる。
【００１３】
更に、前記支持座には駆動モータを取り付けるためのモータ溝が設けられ、台座における持ち上げ板の持ち上げ歯車の前端に駆動支持座が設けられ、前記連動歯車対は駆動支持座に設置される。
【００１４】
更に、前記ハウジングは上部持ち上げハウジング及び下部持ち上げハウジングを含み、上部持ち上げハウジングと下部持ち上げハウジングは取り外し可能に結合され、上部持ち上げハウジングと下部持ち上げハウジングは組み立てられた後に底面が開口された活動空間を形成し、上部持ち上げハウジングの頂面に左右２つのフロアマットが設けられ、フロアマットは上部持ち上げハウジングの頂面に嵌設され、上部持ち上げハウジングの後端には上向きに突起して踵を当てるための遮蔽板が設けられる。
【００１５】
更に、前記遮蔽板の前端にＥＶＡマットが設けられ、使用時の快適性を向上させることができる。
【００１６】
更に、左右２つのフロアマットと上部持ち上げハウジングとの間に加熱シートが更にそれぞれ設けられ、使用者はストレッチング動作を行うとき、足の裏を加熱することができ、体内の寒気を効果的に取り除くことができ、更に人体の血液循環を促進して、人体を更に健康にすることができる。
【００１７】
更に、前記上部持ち上げハウジングにランプパネルが嵌設され、ランプパネルに固定マッサージカバーが設けられ、固定マッサージカバーはランプパネルを覆っており、固定マッサージカバーの頂面に複数の凸粒が分布しており、該複数の凸粒は足部をマッサージすることに用いられ、使用時の快適性を向上させることができる。
【００１８】
更に、台座とハウジングとの間に台座カバー体が更に設けられ、台座カバー体には上下に貫通するスナップリングが設けられ、スナップリングの外径はハウジングの内径より小さく、ハウジングをスナップリングの外部で上下に揺動させる。台座とハウジングとの間に台座カバー体を設置することにより、連動歯車対及び持ち上げ板等の露出を回避することができ、使用上の安全性を向上させるとともに、足部ストレッチング機器の全体構造をよりコンパクトで美しくすることができる。
【００１９】
更に、前記スナップリングの前端は後端より高く、スナップリングの後端に遮蔽部材が更に設置され、ハウジングは持ち上げ板につれて後ろ足の踵の最下まで上下に揺動すると、ハウジングは直接台座又は持ち上げ板に接触せずに、遮蔽部材に当接されることとなる。
【００２０】
更に、前記連動歯車対は、駆動軸と、駆動軸に固定されて駆動モータと噛み合う連動歯車と、駆動軸の両側に設置されて２枚の持ち上げ板の持ち上げ歯車と噛み合う連動歯車と、駆動軸を台座に固定する固定ブロックと、を備える。
【００２１】
更に、２枚の持ち上げ板の中央に近い位置に支持軸が設けられ、支持軸は２枚の持ち上げ板を接続して、持ち上げ板の強度を向上させることに用いられる。
【図面の簡単な説明】
【００２２】
【図１】図１は従来の調整可能な足部ストレッチング器の分解斜視図である。
【図２】図２は従来における調整時の足部ストレッチング器の使用状態の側面図である。
【図３】図３は本考案の分解斜視図である。
【図４】図４は本考案の組み合わせ斜視図である。
【図５】図５は本考案の台座と駆動機構を接続した後の斜視図である。
【図６】図６は図５の平面図である。
【図７】図７は本考案の使用状態の断面図１である。
【図８】図８は本考案の使用状態の断面図２である。
【考案を実施するための形態】
【００２３】
本考案の技術案を更に解釈するために、以下に具体的な実施例によって本考案を詳しく説明する。
【００２４】
本考案の説明において、理解されるように、用語「中心」、「縦方向」、「横方向」、「長さ」、「幅」、「厚さ」、「上」、「下」、「前」、「後」、「左」、「右」、「垂直」、「水平」、「頂」、「底」「内」、「外」、「時計回り」、「反時計回り」、「Ｘ」、「Ｙ」、「Ｚ」等で示される方位又は位置関係は図面に示される方位又は位置関係であり、本考案を説明しやすくするためのもの及び説明を簡素化するためのものに過ぎず、指す装置又は素子は必ず特定の方位を有し、特定の方位で構築及び操作しなければならないことが指示又は示唆されるのではなく、従って、本考案を制限するものであると理解されるべきではない。
【００２５】
図３〜図６に示すように、本考案は足部ストレッチング機器を開示し、台座１、ハウジング２、駆動モータ３、連動歯車対４、持ち上げ板５及びマイクロスイッチ６を備え、前記ハウジング２は台座１に設置され、駆動モータ３、連動歯車対４、持ち上げ板５及びマイクロスイッチ６は台座１とハウジング２との間に設置され、駆動モータ３は台座１に固定され、連動歯車対４は駆動モータ３の出力軸３１と噛み合い、持ち上げ板５の前端又は後端は連動歯車対４と噛み合う持ち上げ歯車５１を有し、持ち上げ板５の後端又は前端は台座１に枢着され、持ち上げ板５の頂端はハウジング２の内頂部に接続され、ハウジング２の頂面に足踏み領域が設けられ、持ち上げ歯車５１の前端及び後端に１つのマイクロスイッチ６がそれぞれ設置され、２つのマイクロスイッチ６のうちの一方は上側に位置し、他方は下側に位置し、持ち上げ歯車５１の上極限及び下極限に対応する。
【００２６】
図７及び図８に示すように、駆動モータ３が作動するとき、該駆動モータの出力軸と噛み合う連動歯車対４を連動して回転させ、連動歯車対４は更にそれと噛み合う持ち上げ歯車５１を連動して上下に揺動させることによって、持ち上げ板５に固定されるハウジング２を上下に揺動させる。持ち上げ歯車５１は最大極限まで揺動すると、マイクロスイッチ６の接点に触れて、揺動し続けることを停止することとなり、持ち上げ歯車５１は最小極限まで揺動すると、マイクロスイッチ６の接点に触れて、揺動を停止することとなる。本考案は、持ち上げハウジング２の上反り及び回復動作を能動的に遂行することができ、使用者は自分の姿勢特徴に基づいて持ち上げ及び回復の角度及び速度を自動的に無段調整することができる。
【００２７】
図１に示すように、本実施例では、前記台座１に支持座１１が設けられ、支持座１１には駆動モータ３を取り付けるためのモータ溝１２が設けられ、支持座１１の後端両側には持ち上げ板５が上下に揺動するための取付溝１３が設けられ、前記持ち上げ板５は２枚あり、持ち上げ板５の後端は回転軸５２によって台座１の取付溝１３に回転可能に固定され、持ち上げ板５の前端に前記持ち上げ歯車５１が設けられる。台座１における持ち上げ板５の持ち上げ歯車５１の前端に駆動支持座１４が設けられる。
【００２８】
前記ハウジング２は上部持ち上げハウジング２１及び下部持ち上げハウジング２２を含み、上部持ち上げハウジング２１と下部持ち上げハウジング２２は取り外し可能に結合され、上部持ち上げハウジング２１と下部持ち上げハウジング２２は組み立てられた後に底面が開口された活動空間を形成し、上部持ち上げハウジング２１の頂面に左右２つのフロアマット２３が設けられ、フロアマット２３は上部持ち上げハウジング２１の頂面に嵌設され、上部持ち上げハウジングの後端には上向きに突起する遮蔽板２４が設けられ、遮蔽板２４は踵を当てることに用いられ、使用時の快適性を向上させるために、遮蔽板２４の前端にＥＶＡマットが設けられる。
【００２９】
使用時の快適性を更に向上させるために、左右２つのフロアマット２３と上部持ち上げハウジング２２との間に加熱シート２５が更にそれぞれ設けられ、上部持ち上げハウジング２２にランプパネル２６が嵌設され、ランプパネル２６に固定マッサージカバー２７が設けられ、固定マッサージカバー２７はランプパネル２６を覆うことができ、固定マッサージカバー２７の頂面に複数の凸粒が分布しており、該複数の凸粒は足部をマッサージすることに用いられ、使用時の快適性を向上させることができる。フロアマット２３と上部持ち上げハウジング２２との間に加熱シート２５が設置され、使用者はストレッチング動作を行うとき、足の裏を加熱して体内の寒気を効果的に取り除くことができ、更に人体の血液循環を促進して、人体を更に健康にすることができる。
【００３０】
台座１とハウジング２との間に台座カバー体７が更に設けられ、台座カバー体７には上下に貫通するスナップリング７１が設けられ、スナップリング７１の前端は後端より高く、スナップリング７１の後端に遮蔽部材７２が更に設置され、上部持ち上げハウジング２１と下部持ち上げハウジング２２は持ち上げ板５につれて後ろ足の踵の最下まで上下に揺動すると、下部持ち上げハウジング２２は直接台座１又は持ち上げ板５に接触せずに、遮蔽部材７２に当接されることとなる。スナップリング７１の外径は上部持ち上げハウジング２１と下部持ち上げハウジング２２とからなる活動空間より小さく、上部持ち上げハウジング２１と下部持ち上げハウジング２２をスナップリング７１の外部で上下に揺動させることができる。台座１とハウジング２との間に台座カバー体７が設置され、連動歯車対４及び持ち上げ板５等の露出を回避することができ、使用上の安全性を向上させるとともに、足部ストレッチング機器の全体構造をよりコンパクトで美しくすることができる。
【００３１】
前記連動歯車対４は、駆動軸４１と、駆動軸４１に固定されて駆動モータ３と噛み合う連動歯車４２と、駆動軸４１の両側に設置されて２枚の持ち上げ板５の持ち上げ歯車と噛み合う連動歯車４３と、駆動軸４１を台座１の駆動支持座１４に固定する固定ブロック４４と、を備える。
【００３２】
支持座１１の両側の持ち上げ板５の後端は台座１の支持座１１に枢着され、持ち上げ板５の前端の持ち上げ歯車５１は連動歯車対４の連動歯車４３と噛み合い、２枚の持ち上げ板５の中央に近い位置に支持軸５３が更に設けられ、支持軸５３は２枚の持ち上げ板５を接続して、持ち上げ板５の強度を向上させることに用いられる。
【００３３】
取付時、駆動モータ３を台座１のモータ溝１２内に固定して取り付け、持ち上げ板５の後端を回転軸５２によって支持座１１の後端に枢着し、連動歯車４２を駆動軸４１に固定して駆動モータ３の出力軸と噛み合い、駆動軸４１の両端に連動歯車４３を固定し、連動歯車４３の外側を固定ブロック４４に設け、固定ブロック４４を駆動支持座１４に固定し、それにより連動歯車対４を台座１に固定する。２枚の持ち上げ板５の後端を台座１の後端の取付溝１３内に枢着し、２枚の持ち上げ板５の中央を支持軸５３に接続し、マイクロスイッチ６を台座１に取り付けて持ち上げ板５の持ち上げ歯車５１に対応するように頂部及び底部の極限まで持ち上げる。台座カバー体７を台座１に設け、台座カバー体７の後端に遮蔽部材７２を取り付け、ハウジング２の上部持ち上げハウジング２１及び下部持ち上げハウジング２２を一体に組み立てた後、上部持ち上げハウジング２１の内頂面と持ち上げ板５の頂面を一体に組み合わせて、ねじで固定し、ハウジング２と持ち上げ板５を一体に固定させ、本考案の組み立てを完了する。
【００３４】
使用時、駆動モータ３は動作してそれと噛み合う連動歯車４２を駆動して回転させ、連動歯車４２は回転すると同時に、駆動軸４１及び連動歯車４３を駆動し、連動歯車４３はそれと噛み合う持ち上げ歯車５１を駆動して上下に揺動させることに対応して、持ち上げ歯車５１に結合されるハウジング２を上下に揺動させる。持ち上げ歯車Ｌは下向きに極限まで揺動すると、前端のマイクロスイッチの接点をトリガーして、揺動し続けることを停止することとなり、持ち上げ歯車Ｌは上向きに極限まで揺動すると、後端のマイクロスイッチの接点をトリガーして、揺動し続けることを停止することとなる。
【００３５】
本考案は、持ち上げハウジングの上反り及び回復動作を能動的に遂行することができ、使用者の個人の特徴に基づいて角度、速度等の自動無段調整を行うことができ、昇降機構は左右の持ち上げ歯車の同時突き出し方式を用いて、ハウジングを持ち上げる際に左右に揺動するという欠点を回避し、使用上の安全性を向上させる。台座１に台座カバー体７を設置して上部持ち上げハウジング２１及び下部持ち上げハウジング２２と組み合わせて連動歯車対４、駆動モータ３、持ち上げ板５等を隠すことができ、露出により外観及び使用安全性に影響することを回避し、製品の使用安全性を向上させ、ユーザーエクスペリエンスを向上させる。
【００３６】
上記実施例及び図示は本考案の製品の形態及び様式を制限するものではなく、当業者が行った適切な変化や修飾は、いずれも本考案の実用新案登録の範囲から逸脱しないものと見なされるべきである。
【図１】
0003233139.tif 000003
【図２】
0003233139.tif 000004
【図３】
0003233139.tif 000005
【図４】
0003233139.tif 000006
【図５】
0003233139.tif 000007
【図６】
0003233139.tif 000008
【図７】
0003233139.tif 000009
【図８】
0003233139.tif 000010